(57)【要約】      （修正有）【課題】通常の生産や生活空間の上又は下に、上方が気密な津波シェルターを提供する。【解決手段】１階の室内３と上階に設けられた津波シェルター５は、ドア６、７、気密の階段室８を介してつながっており、下側からは出入容易で、上方を気密に構成し、上端１９は海抜１７ｍを超える津波シェルター５内の吸気、および又は排気管１８を設け、排気管１８を吸気管にして、上方の大気を、電動または手動のコンプレッサー２５に依り、室内の気圧を上げ、津波シェルター内への侵入を防ぐ構成とした。【選択図】図１
2015178769.tif 000002
【特許請求の範囲】
【請求項１】
下側からは出入容易で、上方を気密に構成した津波用シェルターで有って、図１、図９の１８に示すシェルター内の吸気、および又は排気管を設け、上端１９は３１１津波の結果から海抜１７ｍ以上とする。および又は、天然現象の最大値は保障されないが、津波の基本波の持続時間は約２０分程度で有るのに対し、プレートの沈み込み部に堆積した土が連動して飛び上がる、分岐断層による津波の重畳波のピークの持続時間は約２分半程度で有った為、若し津波のピークが短期間上端１９を超えた場合には、その間弁２１を閉じる場合も有り、且つ吸排気管は、津波や瓦礫の衝突から守る為、建屋に沿わせるか又は建屋内に通し、且つ建屋自体は図６の５７の様な衝突から保護するロープやロッドを設ける場合も有り、および又はハブと成るシェルター内には、図９のシェルター内の自動車７１ｆの図７に示す駆動輪７３をダブルローラー７４等の上に乗せて駆動力を得るか、又はエンジン単体で、発電や高圧空気を作り、高圧空気管を設けて、水道やガス管と並列に埋設するか、又は地下通路網を介して他のシェルターに配る場合も有る、津波シェルターシステム。
【発明の詳細な説明】
【技術分野】
【０００１】本発明は津波から人命の安全や、原発の放射能拡散等を防ぐ安全システム装置に関する。
【背景技術】
【０００２】津波用防波堤の高さは、国家経済的にも、１０ｍが限度で有る為、大津波の場合は速度エネルギーが位置エネルギーに替わって、容易に堤防を乗り越え、再び速度エネルギーと成って内陸に侵入し、自動車や冷蔵庫、コンテナーなど、重くても気密性の高い物は浮上して流れ出す。従って一般木造家屋の場合は、布基礎を残して浮上して流出し、他の家屋と衝突して瓦礫と成るドミノ現象を起こし、今回の３月１１日の東北大震災に依る津波の結果は、点在するコンクリート建屋を除き、広大な平地と化した。更に福島原発では、緊急発電用ジーゼルエンジンは海抜１０ｍの台地に設けられて居り、地震には耐えて発電を始めたが、津波用シェルターも是に続く吸排気管も無かった為、約１５ｍの津波に依って水没し、担当者は水死し、其の結果、緊急用ジーゼルエンジンが全機水没し、電源が全く使えなく成り、緊急炉心冷却装置が機能せず、空焚きが発生し、結果として大量の放射能が所外に拡散し、今なお除染不能の山林から、地下水を経由して海への放射性汚染水の放出が止められない等、収束時期の見えない被害が続いて居る。【０００３】  現在、ＮＡＳＡの信頼性工学が求められて居るが、其のＮＡＳＡでも、全員死亡事故が３回、途中帰還が１回発生し、何れもフェーラーモード自体の欠落が原因で有った。上記吸排気管付きシェルターで原発を守る発明特許フェーラーモードは存在しません。
【先行技術文献】
【０００４】
【特許文献】
【特許文献】  特開２０１２−２４２３７５（図１５）
【発明の概要】
【発明が解決しようとする課題】
【０００５】  上記背景から、津波の際、住民は避難する必要が有るが、津波到来までの時間内に、介護老人や入院患者などの弱者を含む全員が高台まで非難する事は物理的に不可能であり、現実に、健常者を含む多くの犠牲者を出している。しかし海辺の生産や生活の場に、全館津波に耐える建築物を建造する事は、経済的に困難で、然も大津波は世界的には頻繁に発生して居るが、特定の地点に付いては一生遭遇しない確率が高いので、津波対策で日常の生産や生活を不便にすると、その損失は膨大になる。一方、地震から津波までの時間は、地球の裏側で起きた地震に付いては十分な余裕が有るが、極く近海の場合は数分しか無く、高台や遠くのシェルター迄逃げる余裕はない。【０００６】  従って建屋の一部、地階や中層階を津波シェルターにする事が必要で有る。然し津波シェルターを地下に設けた場合は、上記瓦礫との衝突が無く、静水圧だけに対処すれば良く、地下通路網を設けて高台に避難する事も可能で、安全の冗長性、信頼性は高いが、掘削コストやメンテの経費が嵩むし、水没期間が長く、引き波に替わっても水溜りが残る可能性も有る。一方２階以上の中層階を津波シェルターにした場合には、「水没期間が短い」と云う利点は有るが、瓦礫の衝突エネルギーを吸収する機能を必要とする。【０００７】  そして、近くの歩行者や海水浴客等、津波シェルターに収容すべき人数は未確定で、人間の胚は、酸素が薄くなると呼吸に依って逆に体内の酸素が吸い出され、窒息するので、吸排気システム無しに、シェルターに人間を詰め込む事は危険で有り、逆に酸素ボンベから酸素ガスを供給して酸素濃度が濃く成ると、「心臓が刺激を失って停止する」とされて居り、是も禁手です。従って潜水用の空気ボンベが必要ですが、腐蝕等の問題も有り、長年十分な量を保存して置く事は無駄な経費を要し、フォアゲッティーにも反しますから、地下シェルターや、地上でも低層階のシェルターには、瓦礫との衝突事故を防ぐ、一定高さの吸排気システムは必須です。其の高さは、過去の経験からは「海抜１７ｍ以上」ですが、将来３３ｍと云う予測も有り、確定は困難ですから、現行原発建屋の屋上である６０ｍ程度とするか、上記の様にピーク波の持続時間は短いことから、その間のみ吸気管路を閉じる必要が有ります。以上の様に、現実的な津波シェルターは、日常の生産や生活に格別の不便や緊張を強いないフォーゲッティーな設計が求められる。
【課題を解決するための手段】
【０００８】  かかる課題を解決するために、本発明は、通常の生産や生活空間の上又は下に、上方が気密な津波シェルターを設けるものである。但し、気密部分にも、通常開閉せず、開放時には警報が鳴る、気密の緊急脱出用蓋などを設ける場合もある。【０００９】  更に内部の空気を確保する為に、ハブに成るシェルターでは上方に伸び、瓦礫の衝突にたえる吸排気管を設け、端末のシェルターに高圧の空気を供給する。更にシェルター内に収容した自動車、又は単体エンジンで上記高圧空気を作ったり、発電させたりする場合の吸排気管も設ける。動力の取り出しは、図示のダブルローラー式の他、シングルローラー式や直接動力取り出し軸を設けた車両を使う場合も有る。何れにしても、緊急時の信頼性の為には、車検を受け、日常走行して居る車を使う事が望ましい。其の為には、駐車料金を無料にする等、最低２台程度が、常時、又は警報時シェルター内に駐車して居る事が望ましい。
【発明の効果】
【００１０】日常生活の利便性を疎外せず、建設費が安くで、且つ、津波の襲来時には確実に人命を保護する事ができる。
【図面の簡単な説明】
【００１１】
【図１】  本発明の実施形態に係る津波用シェルターの全体構成を示す図である。
【図２】  他の実施例として、ビルの最上階をシェルターとした場合を示す図である。
【図３】  他の実施例として、ロフトをシェルターとした場合を示す図である。
【図４】  他の実施例として、屋根裏をシェルターとした場合を示す図である。
【図５】  他の実施例として、４柱リフトを利用した場合を示す図である。
【図６】  他の実施例として、ピット内に４柱リフトを設けた場合を示す図である。
【図７】  他の実施例として、ビルの２階の駐車場をシェルターとした場合を示す図である。
【図８】  図９の実施例の貴重品吊り上げ装置の詳細を示す図である。
【図９】  原発周辺機器用津波シェルターの実施例。特開２０１２−２４２３７５の図１５と同じ。
【発明を実施するための形態】
【００１２】  本発明の実施の形態を、図面に基づいて説明する。図１は本発明装置の１実施例である。図において１は、鉄筋コンクリートや鉄骨よりなる、津波に耐えうる強度を持つ建物を示し、２は地面高さを示す。従って、３は１階の室内で、通常時、生産、居住、又は商店の売り場などに使用する室で、出入り容易のため、４の如く大きな開口部を持つ扉などが設けられている。
【００１３】  ４の開口部の外側には、津波警報で自動的に閉まるシャッターが設けられる場合も有るが、長期間の格納で故障で作動しなく成っている場合や、閉まっても、津波の荷重に耐えられない場合もあるし、シャッターが耐えたために、建屋への荷重が増して、建屋が破損する危険もある為、基本的には津波に抵抗しない事を想定している。
【００１４】５はその上階に設けられた津波シェルターで、ドア６、７、気密の階段室８を介して３とつながっている。津波シェルター５と、階段室８は気密になっている。ドア６と７も準気密仕様となっているが、もし経年変化で気密性能が低下したり、シェルターに避難する際に閉め忘れたとしても、生命の危険には至らない。
【００１５】９は、緊急脱出穴の気密の蓋で、もしドア７付近で火災が発生したような場合には、内側から開放して、２階の通路や隣家などの区画２４に脱出できるように成っている。蓋を開く手段はバスの非常口の様に、透明の保護板を外してレバーを回す方法や、欧米のホテルに見られるように、赤い斧１０で破壊する場合もある。蓋９を開放中に津波が来た場合には、水面は脱出穴の上端１１に至るが、その上の生存空間は確保される。ドア７付近の火災に対しては、火災の火炎を感知し、火炎を狙ってピンポイントで消化剤を噴射するスプリンクラー１２を設ける場合もある。
【００１６】１３はベッドで、此処で就寝すれば、熟睡中の津波に対しても生命の安全が守れる。１６は通常時にシェルター５内の空気を排出するダクトで、縦管１７、１８を介してルーバー１９より、室外に排気する。自然排気で不足の場合はファン２０を使用する。
【００１７】津波の最高水位は一時的なもので、寄せ波の次いで引き波に移るが、もし一定時間、津波の水位がシェルター５の天井より高い場合で、且つドア７の気密性能が劣化していたり、閉め忘れたりした場合は、シェルター内の空気が圧縮されて、海水が階段８の上方まで上がって来る可能性がある。それで、シェルターの床上まで海水が来たとしても、生存空間は確保されるが、気圧が上昇する。
【００１８】国際線の旅客機では、燃料の節約と、機体に掛る応力の緩和のために、離陸後３０分位掛けて、高度１５００ｍ相当値まで気圧を下げ、着陸前に戻す。この際成人でも、鼻が詰っていると、耳に負担が掛るので、飴を舐めたり、口を動かしたりするが、小児は理由が判らず、対応も出来ず、泣いてむずかる。従ってこのシェルターでも、ドア７の閉め忘れや故障で海水が階段８迄侵入して来た場合には気圧の変動が問題になる恐れがある。その際は、その際は上記排気管１８を吸気管にして、上方の大気を、電動または手動のコンプレッサー２５に依り、室内の気圧を上げ、津波のシェルター内への侵入を防ぐ場合も有る。此の際、２のフロアーの高さが海抜２ｍとし、階段８の高さが３ｍ、津波が海抜１７ｍとすれば、シェルターの加圧は（１７−２−５）÷１０＝０．７気圧以上と成る。自動車の始業点検に使用する、シガーライターのソケットから電源を取るタイヤ圧調節用携帯用コンプレッサーでも５気圧は出せるし、市販の１００Ｖ用小型コンプレッサーや、電磁弁、フレキシブルチューブ等の関連機器は１０気圧仕様で有るから余裕で対応出来る。
【００１９】又、気密ドア７の閉鎖が正常に機能した場合には、排気管１８の他に、同じ形状の吸気管を設けファン２０に依り、外気を導入する場合も有る。特に図５の７４や、図９の７４ｋや、図７の図示されない動力取り出し装置に依り、自動車やエンジン単体の動力を送気や発電に利用する場合は、津波の水位が図８のスカート９６の下端より低い場合にも、図７の排気管は１８は、人間用の他、エンジン専用に設ける必要が有るが、９６の下端を超えれば、１８は吸気管としても必要に成る。
【００２０】以上の説明では２を地面高さとし、シェルターを２階としたが、２の面を２階以上とする、より上の階にも適用する場合もある。
【００２１】図２は他の実施例で、図において１ａは、鉄筋コンクリートや鉄骨よりなる、津波に耐えうる強度を持つ建物を示し、ピルの最上階をシェルターにした例である。図１と同様３ａは住宅などの通常使用空間で、５ａは、気密のシェルターである。６ａは入口の扉で、津波来襲時は、住民は扉７ａから、気密の階段室８ａを上がってシェルターに避難する。一方付近の住民も外階段２６でシェルターの１階下まで上がり、気密のドア２７から階段室８ａに入り、階段を上って、６ａを開けてシェルターに避難する。
【００２２】２８はエレベーターシャフトで、地震で機械的な破損が無い場合は、津波来襲までの間に、車椅子の病人などを運ぶ。２９は昇降用モーターで、停電時は非常用エンジンに切り替える。３０は停電でも手動で開閉出来る気密の扉で、３１は気密のスカートで、静的には、津波の水面を３２の高さで阻止する。若し津波が動的に３ａ室を通過し、扉３０を閉め忘れた場合には、５ａ室の床上浸水の恐れがあるが、生存空間は確保される。
【００２３】津波は地球の裏側からも襲来し、その際は地震波は来ないので、熟睡中に津波だけが来る場合も想定されるので、常時シェルター内で就寝する事が望ましい。其の為、日常の閉塞感を解消させる為、図３の４６に示すワイパー付き屋外用カメラで、海辺の景色等を撮り、室内のモニター４７に映す事に依って、窓が有るかの様にする。窓は外から覗かれない様に、夜間はカーテンや雨戸を閉めるが、本装置は一方通行の為必要ない。図
【００２４】図９の様にシェルター内から地上望遠鏡１４８で水平線上の津波を自動監視する場合も有る。津波は来ない場合、小さく済む場合もあるため、海岸に出て様子を見る事は危険であり、カメラを介して監視する必要が有る。
【００２５】図４は他の実施例で、図において５ｃは屋根裏部屋を津波シェルターにしたもので、図の左右が、津波の襲来と引き波の方向である。４８、４９はシェルター５ｃを支える鉄骨の通し柱で、通常生活空間３ｃ以下は、津波に一定以上抵抗せず、図のごとく、柱４８、４９、筋交いの鉄棒５０を残して流出するように成っている。筋交い５０は、途中にターンバックルを挿入して、予張力を与える場合もある。４８、４９は対になっており、図の前後方向に最少２セット設けられ、前後方向の柱４９間にも、筋交い５０を設ける場合もあるが、南面などの開口部には目障りのため、設けない。８ｃは、２階の床５１からシェルター５ｃに通ずる梯子を内蔵した、気密のスカートで、気密の扉７ｃを設ける。更に８ｃは、津波の浮遊物を避けるため、柱４８．４９の影になるように配置され、その断面も橋桁の様な長円とする場合も有る。
【００２６】柱４８，４９の下端は１階の床５２に結合されてる。５３は図示されていない地下の基礎杭上に結合された、鉄筋コンクリート、または鉄骨の布基礎である。５２はその上に、水平方向擦動自在に載せられており、その水平方向位置は、一端を５２上のピン５４に、他端を５３上のピン５５に結合されたケーブル５６により規制されている。ケーブル５６は、図示以外、四方にも張られていて、５２の位置を規制している。５２，５３間には、図示されない防振ゴムなどを挿入する場合もある。
【００２７】  津波は単なる水流ではなく、破損した家屋の瓦礫や、水面に浮かぶ自動車などが、相当の速度で流れて来るので、衝突工学的対策が必要である。漁船などは、陸地に流れ込まないように、別途対策が必要であるが、自動車は陸上で、日常多数使用されて居るので、浮遊は止むを得ない。ケーブル５７は、高速道路のガードワイヤーとして、鋭意衝突衝ストを行った結果、衝突荷重の掛った状態で、一定のストロークをすることで、大きな衝突エネルギーを吸収し、衝突荷重を低減させる効果がある。又、浮遊物を押しのけて柱に当らないように流し去らせる効果もある。
【００２８】ケーブル５７は、日常生活の邪魔になる場合は、柱４８、基礎５３に沿わせて格納し、津波に備える場合のみ、図示されない電動ウインチ、又は手動荷締器で締め上げて、図の状態にする場合もある。若し締め忘れても、家屋の流出は防止出来る。
【００２９】津波がシェルターの高さに達したに場合は、シェルター５ｃが浮き袋となって、家屋全体が浮き上がって流失しようとする。是に対し、主としては四方に設けられたケーブル５８が、家屋全体が若干の浮き上がることを認めて衝撃を緩和しつつ、流失は防止する。更に若干の浮き上がりを認める事は、地震荷重や、浮遊物の衝突に依る、家屋の下端に加わる曲げモーメントの緩和にも資する。各ケーブルの途中には、密着型コイルスプリングや油圧ダンパーなどの衝撃吸収機構を挿入する場合もある。
【００３０】図５は他の実施例で、自動車の整備に使用する４柱リフトを利用したもので、図の左右が津波、引き波の方向である。２ｄは地表面で、ビーム５３ｄが埋め込まれている。５３ｄの下面は、図示されない地下の杭に結合され、その上にリフトの柱６０，６１が結合され、その上に気密のカバー５ｄが結合され、津波シェルターを形成している。６２は４柱リフトの踏み板で、通常のリフトは、自動車の下部を整備するため、中央が開いているが、本リフトでは塞いで気密にしている。６２ｄは通常時、車庫として使用するため、踏み板を下げた状態を示し、車は踏み板の厚さ分の傾斜板６３を使って乗り込む。６４は車が通過し得る巾の２本の柱で、上部の水平ビーム６５に結合されて、門型を成している。ビーム６５の中央にはフック６６が設けられ、５ｄの中央部に結合された板ばね６７の尖端のフック６８と、衝突荷重緩和用ケーブル６９が結合されている。後部の衝突荷重緩和用ケーブル７０の下端は、直接５３ｄに結合されている。図は津波警報に対応して踏み板を６２の位置に上げた状態を示す。この際５ｄの下部に接着されたパッキン６３は、６２との間に挟まれて、５ｄを気密室とし、津波の侵入を防ぐ。自動車７１のドアのパッキンにも気密性能があるため、２重の気密効果を持つ。
【００３１】大地震やその警報の際は、先ず踏み板が６２ｄの位置で車に乗り込み、家屋の倒壊の危険を避け、地震が収まって、津波が来るまでに、６２の位置まで上昇させる。通常４柱リフトは、モーターで油圧ポンプを回し、油圧シリンダーを介して、張り巡らしたケーブルを引いて踏み板を持ち上げる。本装置では、自動車のバッテリーから電力を貰ってモーターを回す。通常は、整備の効率を挙げるため、大きなモーターを使用するが、本装置では、もっとゆっくり上げても間にあうので、車のバッテリーに負担を掛けないよう、小型のモーターを使用する。たまたまバッテリーが上がり気味の際は、エンジンを掛けて充電状態でリフトを上げ、気密になる前にエンジンを止めるか、緊急脱出孔７２を開けて、外気を入れる。退避後津波が来るまでに時間を要したり、再三津波が来る場合にも、機を見て７２を開いて外気を入れる。水没などで、電気系が故障した場合は、駆動輪７３をダブルローラー７４に載せ、車の出力で、油圧を発生させたり、ボールねじ等で、直接リフトを上下させる場合もある。又手動で上下させる場合もある。手動式の場合は、図示されないバランスウエイトを使って軽く動かせるようにしたりする場合もある。車の重さが定まっていない場合は、バランスウエイトの方を重くし、爪を外せば、ガバナーにより、寸動で上昇するようにする場合もある。７５は、バスの衝突緩和に使用される水バンパーで柱６１、６０を浮遊物の衝突から守る。本実施例の場合は、自動車の整備用に量産されている、４柱リフトを流用するため、建設費が安く、各家庭の既存の駐車スペースに収まる。更に、現在でも４柱リフトは、セカンドカーの駐車スペースとして利用されている例もあり、その場合は、津波対策専用のコストは更に少なくて済む。又、２柱リフトを利用する場合もある。
【００３２】図６は、他の実施例で、図の実線は、津波を待ち受ける状態を示す。６０ｅは、地面２ｅに掘られたピット７６内に設けられた４柱リフトで、下部は基礎５３ｅに結合され、リフトの踏み板６２ｅ上に、シェルターとして使用する自動車７１ｅが乗っている。踏み板上にはジャッキ７７の下部が結合されている。ジャッキの伸縮部７８の上端は、シェルターの蓋７９の気密のスカート３９ｅが結合されている。ジャッキは、車の出入りの邪魔にならないよう、柱の陰に設置する。８０は、蓋７９の下面に接着されたパッキンで、ピットの外周突出部８１に強く押し付けられて、ピット７６の気密を保持する。若しパッキンが破損していても、ピット内の水位はスカート３９ｅの下端の高さで止められるので、呼吸空間は確保される。８２は、津波が去っても、地表に水溜りが、長時間残り、しかもリフトも故障した場合の脱出塔で、５７ｅは、浮遊物の衝突荷重緩和用ケーブル。８３、８４は２重に設けられた脱出用気密扉である。若し瓦礫が、蓋８４の上に乗っている場合には、側面の気密扉８５より脱出する。リフト６０ｅは大型車整備用の大荷重のものを使用し、蓋７９の上に堆積した瓦礫の重量に対抗して車を押し上げられるようにする場合もある。破線で示したのは、通常車庫として使用する状態を示す。若しパッキン８１が激しく損傷し、ピット内に自由に水が入る状態で８３、８４を開けば、ピット内の水が、急速にスカート３９ｅ内に侵入するため、予め、頭部の入る透明プラスチックの球や、ビニール袋などを被って、脱出までの呼吸を確保する必要がある場合も有り得る。スカート３９ｅの下端はピットの底まで延長すれば、パッキン８１の損傷や、蓋７９が故障で、下がりきらなかった場合にも有効であり、車外のスペースもシェルターとして利用出来る。但し、破線で示す日常時に、蓋７９をより高く上げる必要があるため、ジャッキではストロークが不足し、ホイストで吊り上げるなどの対策が必要となる場合もある。
【００３３】図７は他の実施例で、１ｆは津波に流されないビルで、その２階５ｆを気密の津波シェルターにした。スロープ８６は、ビル内に設けられ、７１ｆのように、車輌が１階の路面２ｆから、２階の津波シェルター５ｆに進入できるように、傾斜は１６度以下に設定されている。５ｆの入口には、空調等のためシャッター８７が設けられているが、若し故障しても、シェルターとしての機能には影響しない。１階の空間３ｆは、工場や商店など、日常１階にある事が効率的な業務に使用する。２階も、普段駐車場として利用すれば、津波で流される車が害を及ぼすのを防げる。津波の来襲前や津波の水位がフロアー１ｆに達しない時点では、車両７ｆや、エンジン単体の排気はダクト１７、１８を介し、図１に示すファン２０で行ない、吸気は１ｆのフロアーに設けた穴９５から行うが、津波の水位が図８のスカート９６の下縁に達した場合には、ダクト１７、１８と併行して設けられた排気ダクト１７、１８を通じて行う。通常２階室への吸排気を行うが、津波のピークがダクトの頂点１９を超えた場合には、一時弁２１を閉じて、シェルター５ｆ内の空気が１８より排出されるのを阻止し、シェルター内への海水の浸入を防ぐ。８８はシェルターの排気口で、若し車の故障で、ガソリンガ漏れた場合には、気化したガソリンは床面を這うため、ダクト８９を介して、自然対流で室外に排出させる。ルーバー９０は、逆に津波が侵入する際の浮遊物を除去する。津波はスカート３９ｆの下端の水位に達すればシェルター内が気密になり、それ以上の海水の侵入は阻止出来る。
【００３４】過去の事例から、高地に避難できたのは半数程度で、他は徒歩でも、車でも間に合わず、溺死した例が多い。本シェルターでは、付近の住民を車ごと収容出来る。遠方まで移動しなくて済むので、渋滞が起きにくく、若し起きたとしても、其処から先は車を乗り捨てて徒歩で避難しても間に合う。１階の作業者や、付近の徒歩の避難者は、図１に示した階段室８を利用して２階のシェルターに収容する。上層階へのエレベーターは２階には出入り口を設けない。エレベーターで２階に行く場合には、図４の２８に示すように、シェルター階止まりのエレベーターを利用する。
【００３５】津波警報で、一度はシェルターに避難するものの、貴重品を取りに戻って被害に遭うケースも多く報じられているので、シェルター内から安全に貴重品を吊り上げることも必要である。図８の吊り上げ口９５は、津波来襲時に１階の工作機械等をシェルター内に吊り上げて冠水被害の軽減を図る為のもので、９２はシェルターの天井に結合されたＩビームで、９３はそれに固定された手動チエンブロックまたはホイストで、９４はその吊り上げ用鎖で、穴９５は、その下の床に設けられて居り、通常は図示されない蓋や手摺で囲われている。９６は気密のスカートで、津波の水位をその下端で抑える。９７は１階の作業場に置かれた、商品や作業機の中で、特に重要で高価なもので、ステンレス製のケーブル９８が取り付けられている。９８は、日常の作業の邪魔にならぬよう、図示の如く、床下の溝に埋設され、その上端は２階の床に設けられた杭１００に差し込まれたリングチエンの一齣１０１に結合されている。津波の危険が高まった場合には、リング１０１を杭から抜いて、１０１ｆのように、チエンブロックの爪に掛ける。図はその後チエンブロックを一杯に引き上げた状態を示す。その際下部のリング１０２に第２のチエンブロック１０３のフック１０４を掛けて一杯まで引き上げる。是を繰り返して、最後は１０３側が担当の時点で、機械９７が２階の床上に達するようにし、横行メカ１０５で図の右側に移動させて下ろす。リング１０１は、吊り上げ優先順に、虹色に塗り分けられ、優先順に杭に差してある。１０６はケーブル９８がスカート９６の下端と擦れないようにするガイドローラーである。１０８は、電子制御装置など、水没時の被害の大きい部分のみを吊り上げる場合を示し、吊り上げに依り、コネクター１０９が抜けると、運転中の機械１１０が軟着陸モードに入り、停止した時点で２階から供給されている電源が遮断され、津波に依る漏電を防ぐ。ドグクラッチ部などで切って、モーターも一体で吊り上げる場合もある。
【００３６】１１１はペット用のハウスで、少し位濡れても良いので、本当に津波が来たら、残りの機械は捨てて、優先的に回収する。その後津波に浸かった状態でも、優先度の低い機械を諦めずに引き上げて、防錆剤を噴霧する場合も有る。
【００３７】図示しない他の実施例として、図７に示す２階の駐車場のシェルター５ｆを地下１階に設置し、車の進入するスロープ８６を、一旦下り坂で地下２階まで降りてから、昇り坂で、地下１階の気密のシェルターへ上がるようにする場合もある。そうすれば、地上物か壊滅するような大津波に対しても、安全に避難することが出来る。但し問題は、津波の終息後、地下のスロープに溜まった水や瓦礫を排除して脱出することである。その為の手段の一つは、図８の脱出塔８２を設けること、更にジャッキ７７で塔に乗った瓦礫を押し上げて排除する場合もあり、津波の後も、鉄筋コンクリートや鉄骨の建物の内装は押し流されても骨格は残って居ることから、上記脱出塔を骨格の陰に設置する場合もある。更に潜水艦の艦内の区画を仕切っているような、気密の扉を複数設け、道路の下に、丈夫なビルや高台に通じる地下通路網を設ける場合もある。また、ガス管は細くて丈夫な鉄管を使う為、地震には強いので、近くの丈夫なビルや高台から細い管で高圧の空気を送って貰い、シェルター内で大気圧に戻す方法もある。地下通路内に空気管を設ければ、場所を取らず、地震の地形変動に強い給気網を設けることが出来る。
【符号の説明】
【００３８】１・・・建屋、２・・・地面、３・・・日常居住空間、５・・・津波用シェルター
６、７・・・気密のドア、８・・・気密の階段室、９・・・非常脱出孔
２１・・・フロート弁、２６・・・外階段、２８・・・エレベーターシャフト
３６・・・ロフト、４０・・・自動蓋、４６屋外用カメラ、４７・・・モニター
５ｃ・・・屋根裏部屋、５７・・・ガードワイヤー、５８・・・浮上防止ワイヤー
６０，６１・・・４柱リフト、５ｄ・・・シェルター、７１・・・自家用車
７４・・・車の動力取り出し用ローラー、７５・・・水バンパー、７７・・・ジャッキ
８２・・・脱出塔、８６・・・スロープ、９１・・・封板、
９３、１０３・・・チエンブロック、９７・・・貴重品、１１２・・・耐水ケース
【図１】
2015178769.tif 000003
【図２】
2015178769.tif 000004
【図３】
2015178769.tif 000005
【図４】
2015178769.tif 000006
【図５】
2015178769.tif 000007
【図６】
2015178769.tif 000008
【図７】
2015178769.tif 000009
【図８】
2015178769.tif 000010
【図９】
2015178769.tif 000011